(57)【特許請求の範囲】
【請求項１】
紙板で構成されたラップフィルムロール収納ケース本体の正面紙板部（４）を上部平面中央位置までツバ状に延ばし折り曲げガード補強紙板部（６）をもって二重構造とし、更にその延長でなる紙板をガード固定紙板部（７）とし正面紙板部（４）の裏面に折り曲げ貼着し固定する事でロール飛び出し、巻き戻り、ロールへのフィルムの付着等を防止するためのツバ状でなるガード紙板部（５）を形成し、その長手方向中央に一定巾を有した切れ目部（１３）より形成したラップフィルム引き出し口部（８）を設け、その中央位置に同じく一定寸法を有したＹ字形状の切れ目部（１３）を形成し、更にＹ字形状の切れ目部（１３）の中央直線の切れ目最端より左右2箇所の斜め切れ目にそって平行に２箇所の折り曲げ部（１４）を形成したラップフィルム引き出し口部（８）をガード紙板部（５）より引き上げ、正面紙板部（４）の前面方向に折り返し、更に2箇所の折り曲げ部（１４）を正面紙板部（４）壁面方向へ斜めに折り曲げる事でクッションとしての効果をもたらす引き出し用クッション部（９）を得、再度使用後クッション効果によってラップフィルム引き出し口部（８）が常に一定位置にて浮上する事でフィルムを摘みやすくスムーズな引き出しが可能となり、よってガード紙板部（５）とその同紙板上にラップフィルム引き出し口部（８）と引き出し用クッション部（９）の３つの機能部を構成した事を特徴とするラップフィルムロール収納ケース。
【発明の詳細な説明】
【技術分野】
【０００１】
本発明は家庭用ラップフィルムロール収納ケースに関する。
【背景技術】
【０００２】
従来、ラップフィルムロール収納ケースはロールが収納ケースから使用中に飛び出したり、巻き戻ったり又、ロールフィルムに付着して剥がれなかった等のトラブルがしばしばあった為、ロールの押さえとしてサイドにツメを設けたり、ケース外側、両サイドに穴を開けツメ状にロールの中央で押さえるという方法をもちいていた。又ラップフィルムを再度使用する際にラップフィルムケースが本体に貼りついて摘みづらいという欠点がありケースの外側一部に穴を開け、指でつまみやすく工夫されたもの、あるいは正面の紙板に別の紙板を貼り外側面にラップフィルムを浮かせ引き出しやすく工夫をしたもの等があった。
【０００３】
以下、従来のラップフィルムロール収納ケースについて説明する。
ラップフィルムロールがケースから飛び出ないよう本体ケース両側面部に一部穴を設け、折り曲げてツメ状に細工したりしてロールの飛び出し防止を設けた。又、ラップフィルムがロール本体に絡まったり付着する等のトラブルを解消する為、一部正面紙板に別紙紙板を貼り付け工夫したりしたものがあった。
再度使用する時にラップフィルムが引き出し易くする為の工夫としてケース本体紙板に本体ケースをカットした一部をラップフィルムの引き出し用として設けたもの等があった。
【０００４】
従来のラップフィルムロール収納ケースはロールが使用時に本体ケースから飛び出したり、巻き戻ったり又、フィルムがロールに付着してなかなか剥がれないなどのトラブルがあったり又本体ケースの一部にラップフィルムを引き出す為の穴を開けた為、虫などが入り衛生面でも問題があった。
【特許文献１】特開  平６−２８１１２１号      公報
【特許文献２】特開  平１０−３１３８６６号    公報
【特許文献３】特開  ２００３−２７１１４４号  公報
【発明の開示】
【発明が解決しようとする課題】
【０００５】
以上に述べた従来のラップフィルムロール収納ケースでは使用する際にロールフィルムがケースより飛び出したりラップフィルムがロールに巻き戻ったり、付着等のトラブルがあり再度使用する時に容易でなかった。
【０００６】
本発明はこのような従来の構成が有していた問題を解決しようとするものでありロールがケース本体より飛び出したり、フィルムがロールに付着して剥がれない、又再度使用時に引き出しづらいなどの問題を解決することを目的とされるものである。
【課題を解決するための手段】
【０００７】
本発明は上記の目的を達成する為にロール本体からの飛び出しとラップフィルムの巻き戻り、ロールへのフィルムの付着等を解決するためのケース本体の正面紙板部（４）を上部平面中央位置まで延ばした紙板をツバ状に形成しガード紙板部（５）とした。
【０００８】
更にツバ状に形成したガード紙板部（５）の長手方向中央部にラップフィルムの再使用を容易に行えるよう一定巾でなるフィルム引き出し口部（８）を形成した。
【０００９】
上記フィルム引き出し口部（８）の中央にＹ字形状でなる切れ目部（１３）を形成し、更に2箇所の折り曲げ部（１４）をも形成した。
【００１０】
そして、上記フィルム引き出し口部（８）をガード紙板部（５）より切り剥がし引き上げ正面紙板部（４）前方向へ折り返し、2箇所の折り曲げ部（１４）を正面紙板部（４）の壁方向へ斜めに折り曲げる事でクッションとしての効果をもたらす引き出し用クッション部（９）を設け、更にフィルム引き出し口部（８）の一部に粘着部を設ける。
【発明の効果】
【００１１】
上述したように本発明のラップフィルムロール収納ケースは使用時におこるロールケースからの飛び出し、巻き戻り、更にロールへのフィルムの付着等のトラブルを解消するための手段として正面紙板部（４）をケース本体上部平面中央位置まで延ばしツバ状のガード紙板部（５）を形成する事でロールの飛び出し、巻き戻り、ロ−ルへのフィルムの付着等のトラブルを防止する事が出来た。
【００１２】
更にツバ状のガード紙板部（５）の中央部に一定巾でカットされたフィルムを引き出すために必要なフィルム引き出し口部（８）を形成し、その中央にＹ字形状の切れ目部（１３）と2箇所の折り曲げ部（１４）を形成し、フィルム引き出し口部（８）を正面紙板部（４）の前方向へ折り返し、2箇所の折り曲げ部（１４）を正面紙板部（４）の壁方向へ斜めに折り曲げる事でクッション効果を得られる事から常にクッションにより正面紙板部（４）の壁より離れるため摘みやすく再使用する時にも容易にラップフィルムを引き出す事が出来る。
【発明を実施するための最良の形態】
【００１３】
以下、本発明の形態を図５、図８に基づいて説明する。
【００１４】
図８−（ｂ）の図においては正面紙板部（４）を上部平面中央位置までツバ状に延ばしガード紙板部（５）とし折り曲げ、ガード補強紙板部（６）をもって二重構造とし、更に延長された紙板でなるガード固定紙板部（７）を正面紙板部（４）の裏面壁に貼着し固定する。
【００１５】
図５に於いてガード紙板部（５）の長手方向中央部に一定巾をもつカット部を形成したラップフィルムを引き出すためのフィルム引き出し口部（８）を形成し、その巾中央にＹ字形状の切れ目部（１３）を形成し、更にＹ字形状の切れ目部（１３）の中央直線の切れ目最端より左右2箇所の斜め切れ目にそって平行に2箇所の折り曲げ部（１４）を形成した。
【００１６】
そして、フィルム引き出し口部（８）を切り剥がし引き上げ正面紙板部（４）の前方向へ折り返し、更に2箇所の折り曲げ部（１４）を正面紙板部（４）の壁方向へ斜めに折り曲げる事によってクッション機能をもたらす事で引き出し用クッション部（９）として役割を果す。（図７参照）
【００１７】
又、フィルム引き出し口部（８）の一部に一定巾の粘着部（１５）を設けた。
【００１８】
更に正面紙板部（４）長手方向中央位置にラップフィルムを切り取る際に指で押さえ、力を入れるために型押しによる凸部を形成し紙板面を一部強化する事で切り取りが安全且つ、スムーズに行えるようにする。
【００１９】
以下、上記構成の動作を説明する。
ラップフィルム収納ケース正面紙板部（４）を上部平面中央位置まで延ばしガード紙板部（５）を形成する事でロールの飛び出し、巻き戻り、ロールへのフィルムの付着等を防止し、ガード紙板部（５）に形成されたフィルム引き出し口部（８）に構成された引き出し用クッション部（９）をもって、その機能を有する事によってクッション効果を得る事でラップフィルムが正面紙板部（４）より浮いた状態にて離れスムーズに引き出す事が出来、再度の使用が常に一定した引き出しが可能となる。
【図面の簡単な説明】
【００２０】
【図１】本発明の平面図
【図２】本発明の正面図
【図３】本発明の底面図
【図４】本発明の右側面図
【図５】本発明引き出し口及びクッション部の詳細図
【図６】本発明の本体断面図
【図７】本発明の本体使用時の断面図
【図８】本発明の斜視図        （ａ）本体斜視図        （ｂ）上蓋を開けた斜視図        （ｃ）使用時の斜視図
【図９】本発明の展開図
【図１０】（a）切刃部一部拡大図
【符号の説明】
【００２１】
１  本体ケース蓋上面部
２  背面紙板部
３  底面紙板部
４  正面紙板部
５  ガード紙板部
６  ガード補強紙板部
７  ガード固定紙板部
８  フィルム引き出し口部
９  引き出し用クッション部
１０  切り刃取り付け紙板部
１１  切り刃部
１２  型押し部
１３  切れ目部（図５中）
１４  折り曲げ部（図５中）
１５  粘着部
１６  ラップフィルムロール
【要約】
【課題】  従来のラップ収納ケースは使用時にフィルムが巻き戻ったり、付着したり、飛び出したりのトラブルがあり再度使用時にフィルムが摘みづらくイラつく事がありケース本体表面に穴などの開口部があり虫などが侵入し、衛生面でも不安を与えた等の問題をクリアしたラップ収納ケースを提供する。
【解決手段】  正面紙板部（４）を上部平面中央位置までツバ状に延ばしガード紙板部（５）を形成する事でロールの飛び出し、巻き戻り、フィルムのロールへの付着等のトラブルを解決し、その同紙板上に一定巾をもってカットされたフィルム引き出し口部（８）を形成し、その中央にＹ字形状の切れ目部（１３）と2箇所の折り曲げ部（１４）を形成し、正面紙板部（４）前方向へ折り返し、2箇所の折り曲げ部（１４）を斜めに折り曲げる事でクッション機能をもつ引き出し用クッション部（９）を得る事が出来、それによって常に引き出し口部（８）が正面紙板部（４）より一定位置で浮上するため常にスムーズなフィルムの引き出しが可能となる。【図１】
0004281022.tif 000002
【図２】
0004281022.tif 000003
【図３】
0004281022.tif 000004
【図４】
0004281022.tif 000005
【図５】
0004281022.tif 000006
【図６】
0004281022.tif 000007
【図７】
0004281022.tif 000008
【図８】
0004281022.tif 000009
【図９】
0004281022.tif 000010
【図１０】
0004281022.tif 000011